(57)【要約】【課題】可撓性を有し表面側に文字又は図形が表示された方形状の表示シートを上下方向に延びる円柱部に取付ける看板取付具において、円柱部への取付けがより容易になる看板取付具を提供することを課題とする。【解決手段】可撓性を有し表面側に文字又は図形が表示された方形状の表示シート１を上下方向に延びる円柱部３に取付ける看板取付具において、左右一対の縦フレーム１１，１１と、円柱部３の外周に沿うように予め円弧状に湾曲形成されて該左右の縦フレーム１１，１１間に架設される横フレーム１２，１３とによって円柱部３に取付けられる枠体４の少なくとも一部を構成し、該横フレーム１２，１３に沿って円弧状に湾曲された状態で表示シート１を支持するように枠体４を構成する。【選択図】図５
0003158665.tif 000002
【実用新案登録請求の範囲】
【請求項１】
可撓性を有し表面側に文字又は図形が表示された方形状の表示シート（１）を上下方向に延びる円柱部（３）に取付ける看板取付具において、左右一対の縦フレーム（１１），（１１）と、円柱部（３）の外周に沿うように予め円弧状に湾曲形成されて該左右の縦フレーム（１１），（１１）間に架設される横フレーム（１２），（１３）とによって円柱部（３）に取付けられる枠体（４）の少なくとも一部を構成し、該横フレーム（１２），（１３）に沿って円弧状に湾曲された状態で表示シート（１）を支持するように枠体（４）を構成してなる看板取付具。
【請求項２】
枠体（４）の背面側と円柱部（３）の外周との間に表示シート（１）を配置可能に該枠体（４）を構成してなる請求項１の看板取付具。
【請求項３】
各縦フレーム（１１）の背面側に上下方向の係止部（１１ｂ）を突出形成し、左右の縦フレーム（１１），（１１）を前記表示シート（１）の左右端側にそれぞれ位置させることが可能なように配置することにより、該左右の係止部（１１ｂ），（１１ｂ）の間に表示シート（１）を嵌め込むことができるように該係止部（１１ｂ）を構成した請求項２の看板取付具。
【請求項４】
縦フレーム（１１）がアングル状をなすように該縦フレーム（１１）の左右外側端部を後方側に屈曲形成することにより、レール状の係止部（１１ｂ）を形成してなる請求項３の看板取付具。
【請求項５】
縦フレーム（１１）の下側に設けた横フレーム（１３）の背面側に左右方向の支持部（１３ｂ）を突出形成し、該横フレーム（１３）を前記表示シート（１）の下端側に配置し、該支持部（１３ｂ）によって表示シート（１）の下端側を支持する請求項２，３又は４の看板取付具。
【請求項６】
アングル状をなすように横フレーム（１３）の下端部を上方側に屈曲形成することにより、レール状の支持部（１３ｂ）を形成してなる請求項５の看板取付具。
【請求項７】
縦フレーム（１１）の上側に設けた横フレーム（１２）の背面側に左右方向の規制部（１２ｂ）を突出形成し、該横フレーム（１２）を前記表示シート（１）の上端側に配置し、該規制部（１２ｂ）によって前記支持部（１３ｂ）に支持された表示シート（１）の上方移動を規制する請求項５又は６の看板取付具。
【請求項８】
アングル状をなすように横フレーム（１２）の上端部を下方側に屈曲形成することにより、レール状の規制部（１２ｂ）を形成してなる請求項７の看板取付具。
【請求項９】
左右の縦フレーム（１１），（１１）をそれぞれ下方側に延出することにより、左右一対の支持脚（１１ａ），（１１ａ）を設けてなる請求項１，２，３，４，５，６，６，７又は８の看板取付具。
【請求項１０】
横フレーム（１２），（１３）を円柱部（３）の外周に沿って後方側に延設することにより延長部（１２ａ），（１３ａ）を形成してなる請求項１，２，３，４，５，６，７，８又は９の看板取付具。
【請求項１１】
前記延長部（１２ａ），（１３ａ）を横フレーム（１２），（１３）の左右にそれぞれ設け、各延長部（１２ａ），（１３ａ）に挿通孔（１４）を穿設し、該左右の両挿通孔（１４），（１４）に挿通された帯状又は紐状の緊締具（６）によって該横フレーム（１２），（１３）を円柱部（３）に取付ける請求項１０の看板取付具。
【請求項１２】
緊締具（６）が枠体（４）の前面側から左右の挿通孔（１４），（１４）に挿通されて円柱部（３）における枠体（４）の反対側に巻き回されることにより環状をなす請求項１１の看板取付具。
【考案の詳細な説明】
【技術分野】
【０００１】
この考案は、電柱や樹木等の円柱部に看板を取付けるための看板取付具に関する。
【背景技術】
【０００２】
表面側に文字又は図形が表示された方形状の表示シートを電柱や樹木等の外周に取付ける看板取付具として、可撓性を有する部材によって形成された表示シートの上端部に設置された留め具と、前記表示シートの左右の端部にそれぞれ複数本設けられた紐とを備え、該留め具によって表示シートを吊下げ支持するとともに、紐によって表示シートを電柱や樹木等の円柱部に緊締せしめ、表示シートを円柱部の外周に沿わせて円弧状に湾曲させた状態で、円柱部に取付ける特許文献１に示す看板取付具が公知になっている。
【先行技術文献】
【特許文献】
【０００３】
【特許文献１】実開平６−４７９７４号公報
【考案の概要】
【考案が解決しようとする課題】
【０００４】
上記特許文献１の看板取付具によれば、表示シートが円柱部の外周に沿って円弧状に湾曲した状態で、該円柱部に吊下げ支持されるため、表示シートが円柱部から突出することがなく、歩行者等が表示シートに衝突する事態が未然に防止されるとともに美観保持にも寄与するという利点がある一方で、円柱部に表示シートを湾曲させながら取付ける必要があり、場合によっては表紙シートの円柱部への取付作業に手間や時間がかかる場合があるという課題がある。
本発考案は、上記課題を解決し、可撓性を有し表面側に文字又は図形が表示された方形状の表示シートを上下方向に延びる円柱部に取付ける看板取付具において、表示シーを円柱部の外周に沿わせるように湾曲させた状態で円柱部に取付ける際の作業がより容易になる看板取付具を提供することを目的とする。
【課題を解決するための手段】
【０００５】
上記課題を解決するため本発明の看板取付具は、第１に、可撓性を有し表面側に文字又は図形が表示された方形状の表示シート１を上下方向に延びる円柱部３に取付ける看板取付具において、左右一対の縦フレーム１１，１１と、円柱部３の外周に沿うように予め円弧状に湾曲形成されて該左右の縦フレーム１１，１１間に架設される横フレーム１２，１３とによって円柱部３に取付けられる枠体４の少なくとも一部を構成し、該横フレーム１２，１３に沿って円弧状に湾曲された状態で表示シート１を支持するように枠体４を構成してなることを特徴としている。
【０００６】
第２に、枠体４の背面側と円柱部３の外周との間に表示シート１を配置可能に該枠体４を構成してなることを特徴としている。
【０００７】
第３に、各縦フレーム１１の背面側に上下方向の係止部１１ｂを突出形成し、左右の縦フレーム１１，１１を前記表示シート１の左右端側にそれぞれ位置させることが可能なように配置することにより、該左右の係止部１１ｂ，１１ｂの間に表示シート１を嵌め込むことができるように該係止部１１ｂを構成したことを特徴としている。
【０００８】
第４に、縦フレーム１１がアングル状をなすように該縦フレーム１１の左右外側端部を後方側に屈曲形成することにより、レール状の係止部１１ｂを形成してなることを特徴としている。
【０００９】
第５に、縦フレーム１１の下側に設けた横フレーム１３の背面側に左右方向の支持部１３ｂを突出形成し、該横フレーム１３を前記表示シート１の下端側に配置し、該支持部１３ｂによって表示シート１の下端側を支持することを特徴としている。
【００１０】
第６に、アングル状をなすように横フレーム１３の下端部を上方側に屈曲形成することにより、レール状の支持部１３ｂを形成してなることを特徴としている。
【００１１】
第７に、縦フレーム１１の上側に設けた横フレーム１２の背面側に左右方向の規制部１２ｂを突出形成し、該横フレーム１２を前記表示シート１の上端側に配置し、該規制部１２ｂによって前記支持部１３ｂに支持された表示シート１の上方移動を規制することを特徴としている。
【００１２】
第８に、アングル状をなすように横フレーム１２の上端部を下方側に屈曲形成することにより、レール状の規制部１２ｂを形成してなることを特徴としている。
【００１３】
第９に、左右の縦フレーム１１，１１をそれぞれ下方側に延出することにより、左右一対の支持脚１１ａ，１１ａを設けてなることを特徴としている。
【００１４】
第１０に、横フレーム１２，１３を円柱部３の外周に沿って後方側に延設することにより延長部１２ａ，１３ａを形成してなることを特徴としている。
【００１５】
第１１に、前記延長部１２ａ，１３ａを横フレーム１２，１３の左右にそれぞれ設け、各延長部１２ａ，１３ａに挿通孔１４を穿設し、該左右の両挿通孔１４，１４に挿通された帯状又は紐状の緊締具６によって該横フレーム１２，１３を円柱部３に取付けることを特徴としている。
【００１６】
第１２に、緊締具６が枠体４の前面側から左右の挿通孔１４，１４に挿通されて円柱部３における枠体４の反対側に巻き回されることにより環状をなすことを特徴としている。
【考案の効果】
【００１７】
本考案の構成によれば、左右一対の縦フレームと、円柱部の外周に沿うように予め円弧状に湾曲形成されて該左右の縦フレーム間に架設される横フレームとによって円柱部に取付けられる枠体の少なくとも一部が構成され、該横フレームに沿って円弧状に湾曲された状態で表示シートが枠体に支持されるため、枠体を取付ける際には、既に表示シートが円柱部の外周に沿うように円弧状に湾曲された状態であるため、表示シートを円柱部外周に沿って円弧状に湾曲させる作業と、表示シートを円柱部に取付ける作業とを同時に行う場合と比較して、表示シートの取付け作業が容易になるという効果がある。
【００１８】
また、枠体の背面側と円柱部の外周との間に表示シートを配置可能に該枠体を構成することにより、表示シートが枠体と円柱部との間に挟まれ、より安定的に支持されるという効果がある。
【００１９】
また、左右の縦フレームにそれぞれ設けられた係止部の間に表示シートを嵌め込むことにより表示シートを枠体に支持すれば、表示シートを枠体に取付支持する作業が容易になるとともに、表示シートを枠体に安定的に支持できるという効果がある。
【００２０】
さらに、表示シートの下端側を支持する支持部や、該支持部に支持された表示シートの上方移動を規制する規制部を設けることによって、さらに安定して表示シートを支持することが可能になる。
【００２１】
なお、横フレームを円柱部の外周に沿って後方側に延設することにより延長部を形成すれば、枠体をより安定して円柱部に取付けることが可能になるという効果がある。
【００２２】
また、緊締具が枠体の前面側から左右の挿通孔に挿通されて円柱部における枠体の反対側に巻き回されることにより環状をなせば、該緊締具によって枠体が円柱部側に押圧されてより密着した状態になるという効果がある。
【図面の簡単な説明】
【００２３】
【図１】本発明の適用した看板取付具の構成を示す斜視図である。
【図２】本発明の適用した看板取付具の構成を示す側面図である。
【図３】本発明の適用した看板取付具の構成を示す平断面図である。
【図４】（Ａ）は支持部及び規制部の構成を示す平面図であり、（Ｂ）は係止部の構成を示す側面図である。
【図５】看板を円柱部に取付けた状態を示す平断面図である。
【図６】本考案の別実施形態を示す枠体の斜視図である。
【図７】本考案の別実施形態を示す看板取付具の平断面図である。
【考案を実施するための形態】
【００２４】
以下図示する例に基づき本考案の実施形態について説明する。
図１乃至３は、本発明の適用した看板取付具の構成を示す斜視図、側面図及び平断面図である。図示する例では、看板は、表示シート１及び看板取付具２を備え、樹木の幹や電柱等の円柱形状の柱である円柱部３に取付けられるように構成されている。
【００２５】
この表示シート１は、具体的には合成樹脂や紙材料からなる上下方向に長い方形状のシート部材であって、弾性的に湾曲変形するように構成されており、表示シート１の表面側には字や図形等からなる標識や注意書等が印刷されている。
【００２６】
この看板取付具２は、表示シート１を取付支持する枠体４と、該枠体４を円柱部３に取付ける帯状又は紐状（図示する例では帯状）の緊締具６と、を備えている。
【００２７】
上記緊締具６は、フレキシブルに変形するとともに後述する左右の挿通孔１４，１４に挿通させた帯状部材７又は紐状部材（図示する例では帯状部材）の両端部７ａ，７ｂを重ね合せて環状部８を形成し、該両端部７ａ，７ｂの一方側に設けられたバックル９に、該両端部７ａ，７ｂの他方側を締付調整可能に係止することにより、構成されている。ちなみに、帯状部材７又は紐状部材は、合成樹脂や金属や衣類等に用いる繊維等から構成される。
【００２８】
上記枠体４は、所定間隔を介して左右に並列配置される一対の上下方向の縦フレーム１１，１１と、該左右の縦フレーム１１，１１間に架設される上下一対の左右方向の横フレーム１２，１３とを備えている。
【００２９】
上下の横フレーム１３，１４は、厚み方向が前後方向を向いた状態で左右方向に細長い帯状の金属製部材（具体的にはステンレス製部材）を円柱部３の外周に沿うように平面視円弧状に湾曲形成することにより構成されており、さらに湾曲させる側に若干弾性変形可能な弾力性を有している。言い換えると、横フレーム１３，１４は、外力が加わらない状態で円弧状に湾曲した形状をなし、その両端が近づけて狭める側に弾性変形させることが可能であるとともに、その両端が遠ざけて広げる側に弾性変形させることが可能である。
【００３０】
上側の横フレーム１２である上フレームは縦フレーム１１，１１の背面側上端部にボルトやピン等で固定される一方で、下側の横フレーム１３である下フレームは、該横フレーム１３から下方に向かってさらに縦フレーム１１，１１が延出されるように縦フレーム１１，１１の下部背面側にボルトやピン等（図示しない）により固定されている。ちなみに、各縦フレーム１１，１１における下フレーム１３から下方に延出されている箇所が支持脚１１ａ，１１ａとして機能している。
【００３１】
左右の縦フレーム１１，１１は、上下方向に細長い帯状の金属製部材（具体的にはステンレス製部材）であるとともに全体が略非変形となる硬直性を有する塑性変形部品である。縦フレーム１１の厚み方向が横フレーム１２，１３における該縦フレーム１１との当接箇所の厚み方向と略同一になって、該縦フレーム１１が横フレーム１２，１３の湾曲方向に沿うように該横フレーム１２，１３に上述のボルトやピン等で固定されている。
【００３２】
ちなみに、各縦フレーム１１は、横フレーム１２，１３の左右端部よりも内側箇所に位置している。言い換えると、各横フレーム１２，１３の左右の両端部は、左右の縦フレーム１１，１１よりもさらに外側且つ後方側に延設され、この延長された箇所が円柱部３の外周に沿う円弧状の延長部１２ａ，１３ａをなしており、該各延長部１２ａ，１３ａには挿通孔１４が円状の穿設されている。
【００３３】
このように左右の縦フレーム１１，１１と、上下の横フレーム１２，１３によって、枠体４は上下方向に長い方形状の外形を有している。本看板取付具２では、枠体４における円柱部３の外周と対向する側の面である背面側に前記表示シート１が位置決め支持されるように該枠体４を構成しており、具体的には、左右の縦フレーム１１，１１の背面側にそれぞれ突出形成された上下方向の係止部１１ｂ，１１ｂと、下フレーム１３の背面側に突出形勢された左右方向の支持部１３ｂと、上フレーム１２の背面側に突出形成された左右方向の規制部１２ｂとによって、表示シート１を、枠体４と、円柱部３の外周との間に位置決め支持できるように枠体４を構成している。
【００３４】
図４（Ａ）は支持部及び規制部の構成を示す平面図であり、（Ｂ）は係止部の構成を示す側面図である。係止部１１ｂ，１１ｂは、表示シート１の左右両端部に左右の縦フレーム１１，１１をそれぞれ配置するとともに左右の縦フレーム１１，１１の左右外側端部をそれぞれ互いに近づくように後側に屈曲させることによりに構成されている。この左右の係止部１１ｂ，１１ｂは、該構成によりレール状に形成され、該レール状の係止部１１ｂ，１１ｂの間に表示シートが嵌め込み係止される。
【００３５】
この嵌め込み係止の際、表示シート１は、全体が円弧状の横フレーム１２，１３に近接又は当接するように平面視に円弧状に湾曲した形に弾性変形される。このため、表示シート１は、自身の弾性力によっても、左右の係止部１１ｂ，１１ｂにより確実に係止せしめられる。ちなみに、各縦フレーム１１は、レール状の係止部１１ｂによって、平断面視Ｌ字状をなすアングル状部材になる。
【００３６】
支持部１３ｂは、表示シート１の下端部に下フレーム１３を配置するとともに該下フレーム１３の下端部を上方側に屈曲形成する構成されている。この支持部１３ｂは、該構成により円弧且つレール状に形成され、該支持部１３ｂ上に表示シート１の下端部を受止めて支持するように構成されている。
【００３７】
規制部１２ｂは、支持部１３ｂに支持された状態の表示シート１の上端部側に上フレーム１２を配置するとともに該上フレーム１２の上端部を下方側に屈曲形成する構成されている。この規制部１２ｂは、該構成により円弧且つレール状に形成され、支持部１３ｂに下端部が支持された表示シートの上端部に近接又は接触した状態で位置し、表示シート１の上方側へのズレを防止するように構成されている。
【００３８】
このようにして、表示シート１は、左右一対の係止部１１ｂ，１１ｂの間に嵌め込み固定され、上下動が規制部１２ｂ及び支持部１３ｂによって規制されるため、安定的に枠体４の背面側に位置決め支持される。また、この際、表示シート１表面の上下端部及び左右端部は、左右の縦フレーム１１，１１の背面及び上下の横フレーム１２，１３の背面に当接又は近接するため、枠体４の背面側により安定的に位置決めされる。なお、規制部１２ｂを図４（Ａ）に仮想線で示す位置に配置し、規制部１２ｂと支持部１３ｂとの距離を表示シート１の上下方向の長さと略同一にして、この規制部１２ｂと支持部１３ｂとの間に表示シート１を嵌め込み固定するように構成してもよい。
【００３９】
図５は、看板を円柱部に取付けた状態を示す平断面図である。本看板を円柱部３に取付ける際には、まず、上述の手段によって、枠体４の背面側に表示シート１を位置決めした状態で嵌め込み支持する。続いて、円柱部３の外周と表示シート１の裏面側とを対向させた状態で、枠体４を円柱部３の外周に押付けるとともに左右の支持脚１１ａ，１１ａを地面に接地させる。
【００４０】
続いて、緊締具６の帯状部材７又は紐状部材を左右の挿通孔１４，１４に挿通させた後、環状部８が円柱部３の外周における枠体４の反対側に位置するように該帯状部材７又は紐状部材の両端を重ね合せ且つバックル９によって係合させ、該バックル９により枠体４を円柱部３に緊締することにより、看板が円柱部３に取付固定される。
【００４１】
この際、表示シート１の４辺が左右の係止部１１ｂ，１１ｂ、支持部１３ｂ及び規制部１２ｂに囲繞されるとともに、表示シート１が枠体４の背面側と円柱部３の外周とに挟まれた状態になり、表示シート１が枠体４側に接着等されることなく安定して位置決め支持される。言い換えると、表示シート１と看板取付具２とは、取付孔の穿設等の加工を互いに施すこと無く、着脱自在に構成され、看板取付具２から表示シート１を取外せば、表示シート１及び看板取付具２が何度も再利用可能である。特に、看板取付具２の枠体４は、アルミ製であるため、長期にわたり使用することができる。
【００４２】
また、上下の横フレーム１２，１３は、緊締具６による円柱部３への締付けによって、湾曲側に若干弾性変形され（図示しない）、横フレーム１２，１３の弾性力によって、枠体４がより確実に円柱部３に取付け固定される。
【００４３】
さらに、上下の横フレーム１２，１３を広げる側又は狭める側に弾性変形させることにより、１つの看板取付具２によって、径のことなる種々の円柱部３に表示シート１を取付けることが可能になり、汎用性が高い。
【００４４】
なお、該構成によって、枠体４及び表示シート１を含む看板全体が、円柱部３の外周に密着して沿うように取付けられるため、看板のうちで円柱部３からが突出する部分が殆どなく、該看板が通行人等の邪魔になるようにことも防止され、安全性も確保される。
【００４５】
なお、緊締具６は、枠体４の上下の横フレーム１２，１３の両方に設けもよいし、一方（好ましくは上側の横フレーム１２）のみに設けてもよい。
【００４６】
次に、図６に基づき、本考案の別実施形態について、上述の例と異なる点を説明する。
図６は、本考案の別実施形態を示す枠体の斜視図である。同図に示す枠体４では、左右の支持脚１１ａ，１１ａを省き、看板取付具２の構造をより簡略化させてもよい。ちなみに、下フレーム１３は直に接地させてもよいし、地面から上方に離間させてもよい。
【００４７】
次に、図７に基づき、本考案の別実施形態について、上述の例と異なる点を説明する。
図７は、本考案の別実施形態を示す看板取付具の平断面図である。図示する看板取付具２では、帯状部材７又は紐状部材が横フレーム１２，１３の正面（前面側）に位置した状態で左右の挿通孔１４，１４に挿通され、円柱部３の周囲に沿って表示シート１の反対側まで巻きまわされ、その両端７ａ，７ｂがバックル９によって円柱部３の上記反対側で係合されている。ちなみに、この際、平断面視緊締具６の環状部８内に円柱部３が位置している。
【００４８】
該構成によれば、緊締具６の締付力を強めると、帯状部材７又は紐状部材によって、表示シート１及び枠体４の横フレーム１２，１３が円柱部３の外周に密着して沿うように円柱部３に弾力的に押圧される。特に、この際、同図に仮想線で示されるように、延長部１２ａ，１３ａが円柱部３に近づくように湾曲され、看板がさらに円柱部３と一体化するようにして該円柱部３に取付けられる。
【符号の説明】
【００４９】
１  表示シート
３  円柱部
４  枠体
６  緊締具
１１  縦フレーム
１１ａ  支持脚
１１ｂ  係止部
１２  上フレーム（横フレーム）
１２ａ  延長部
１２ｂ  規制部
１３  下フレーム（横フレーム）
１３ａ  延長部
１３ｂ  支持部
１４  挿通孔
【図１】
0003158665.tif 000003
【図２】
0003158665.tif 000004
【図３】
0003158665.tif 000005
【図４】
0003158665.tif 000006
【図５】
0003158665.tif 000007
【図６】
0003158665.tif 000008
【図７】
0003158665.tif 000009
【手続補正書】
【提出日】平成22年2月9日(2010.2.9)
【手続補正１】
【補正対象書類名】実用新案登録請求の範囲
【補正対象項目名】全文
【補正方法】変更
【補正の内容】
【実用新案登録請求の範囲】
【請求項１】
可撓性を有し表面側に文字又は図形が表示された方形状の表示シート（１）を上下方向に延びる円柱部（３）に取付ける看板取付具において、左右一対の縦フレーム（１１），（１１）と、円柱部（３）の外周に沿うように予め円弧状に湾曲形成されて該左右の縦フレーム（１１），（１１）間に架設される横フレーム（１２），（１３）とによって円柱部（３）に取付けられる枠体（４）の少なくとも一部を構成し、該横フレーム（１２），（１３）に沿って円弧状に湾曲された状態で表示シート（１）を支持するように枠体（４）を構成してなる看板取付具。
【請求項２】
枠体（４）の背面側と円柱部（３）の外周との間に表示シート（１）を配置可能に該枠体（４）を構成してなる請求項１の看板取付具。
【請求項３】
各縦フレーム（１１）の背面側に上下方向の係止部（１１ｂ）を突出形成し、左右の縦フレーム（１１），（１１）を前記表示シート（１）の左右端側にそれぞれ位置させることが可能なように配置することにより、該左右の係止部（１１ｂ），（１１ｂ）の間に表示シート（１）を嵌め込むことができるように該係止部（１１ｂ）を構成した請求項２の看板取付具。
【請求項４】
縦フレーム（１１）がアングル状をなすように該縦フレーム（１１）の左右外側端部を後方側に屈曲形成することにより、レール状の係止部（１１ｂ）を形成してなる請求項３の看板取付具。
【請求項５】
縦フレーム（１１）の下側に設けた横フレーム（１３）の背面側に左右方向の支持部（１３ｂ）を突出形成し、該横フレーム（１３）を前記表示シート（１）の下端側に配置し、該支持部（１３ｂ）によって表示シート（１）の下端側を支持する請求項２乃至４のいずれか１項に記載の看板取付具。
【請求項６】
アングル状をなすように横フレーム（１３）の下端部を上方側に屈曲形成することにより、レール状の支持部（１３ｂ）を形成してなる請求項５の看板取付具。
【請求項７】
縦フレーム（１１）の上側に設けた横フレーム（１２）の背面側に左右方向の規制部（１２ｂ）を突出形成し、該横フレーム（１２）を前記表示シート（１）の上端側に配置し、該規制部（１２ｂ）によって前記支持部（１３ｂ）に支持された表示シート（１）の上方移動を規制する請求項５又は６の看板取付具。
【請求項８】
アングル状をなすように横フレーム（１２）の上端部を下方側に屈曲形成することにより、レール状の規制部（１２ｂ）を形成してなる請求項７の看板取付具。
【請求項９】
左右の縦フレーム（１１），（１１）をそれぞれ下方側に延出することにより、左右一対の支持脚（１１ａ），（１１ａ）を設けてなる請求項１乃至８のいずれか１項に記載の看板取付具。
【請求項１０】
横フレーム（１２），（１３）を円柱部（３）の外周に沿って後方側に延設することにより延長部（１２ａ），（１３ａ）を形成してなる請求項１乃至９のいずれか１項に記載の看板取付具。
【請求項１１】
前記延長部（１２ａ），（１３ａ）を横フレーム（１２），（１３）の左右にそれぞれ設け、各延長部（１２ａ），（１３ａ）に挿通孔（１４）を穿設し、該左右の両挿通孔（１４），（１４）に挿通された帯状又は紐状の緊締具（６）によって該横フレーム（１２），（１３）を円柱部（３）に取付ける請求項１０の看板取付具。
【請求項１２】
緊締具（６）が枠体（４）の前面側から左右の挿通孔（１４），（１４）に挿通されて円柱部（３）における枠体（４）の反対側に巻き回されることにより環状をなす請求項１１の看板取付具。